(57)【要約】【課題】建築構造物の基体となる屋根や壁面等で、表面が非平坦状の折板状部材等の表面上に平坦状の表面を形成するために、他の基盤等を重ね合わせてこれらを一体的に固定するようにしたもので、より簡便で、より安定して盤状体を固定するものを提供することを課題とする。【解決手段】折板屋根又は壁面等の基体の非平坦状の表面に固着部材を介して表面が平坦状の基盤を取り付けるに際し、固着部材は、フランジ部と筒状突出部を有するハット型金物で形成し、筒状突出部を基盤に埋め込むと共にこの埋め込み部の周縁をフランジ部で押さえ、かつ、筒状突出部の空間内に基体用の固定ボルトを収納し、コンパクトで且つ安定して盤状体を固定する固定装置を得た。【選択図】　　　　　　図１
2004076516.tif 000002
【特許請求の範囲】
【請求項１】
折板屋根又は壁面等の基体の非平坦状の表面に固着部材を介して表面が平坦状の基盤を取り付ける装置において、前記固着部材は、フランジ部と筒状突出部を有するハット型金物で形成され、前記筒状突出部を前記基盤に埋め込むと共にこの埋め込み部の周縁を前記フランジ部で押さえて配設し、前記筒状突出部で区画される空間内に前記基体用の固定ボルトを収納したことを特徴とする盤状体の固定装置。
【請求項２】
前記固定ボルトは、前記ハット型金物の筒状突出部から延長部を継ぎ足して前記基盤を貫通するボルト部を立ち上げ、基盤上に断熱材又は緑化マット等を固定可能にしたことを特徴とする請求項１に記載の盤状体の固定装置。
【請求項３】
前記ハット型金物は、前記筒状突出部内の空隙部に、ゴムパッキン又はコーキング材等のシール部材を充填したことを特徴とする請求項１又は２に記載の盤状体の固定装置。
【発明の詳細な説明】
【０００１】
【発明の属する技術分野】
本発明は、建築構造物の基体となる屋根や壁面などで、表面が非平坦状の折板状部材等に対し、同非平坦状の表面上に平坦状の表面を形成するために、他の基盤等を重ね合わせてこれらを一体的に固定するようにした盤状体の固定技術に関するものである。
【０００２】
【従来の技術】
周知のように、近時地球規模での温暖化現象やヒートアイランド現象が顕著となり、これらの対応として、首都圏のみならず地方都市においても屋上の緑化技術（緑化システム）がもてはやされるようになって来た。
【０００３】
この屋上の緑化技術は、始原的にはヨーロッパ、ドイツに端を発し、全世界的に広まりつつあるが、わが国においては近時緑化基準が変わったこともあって、当該緑化技術が一段と広まるような趨勢にある。
【０００４】
同屋上の緑化技術のわが国における発展の段階を追ってみると、同緑化技術はフェルト製やプラスチック製の繊維製又は不織布製のマットを敷設するもの、若しくは椰子繊維質等の薄層のマットに適宜の緑化植物を植生してこれを敷設するもの等に端を発している。
【０００５】
しかしながら前記のように、単に薄層のマットに植生を施しただけの構成では、このマット中に在る床土等の土壌の流出が生じやすく、また、薄層であるために水分の蒸発が生じて植生が枯れたり、同植生自体の成長が進み、薄層での支持がダメージを受けることもあるので、このようなダメージを受けることなく緑化植物の安定的な成長を促すより適切な植生マットを作り、これを屋根等に取り付けるより好ましい手法について、開発努力が進められている。
【０００６】
また、家屋の屋上改良に関する工夫という観点からすれば、前記緑化技術に止まらず、同屋上に断熱材を取り付け、建物内への断熱効果を上げ、省エネを図るニーズも高まっている。
【０００７】
他方、これらの植生マットを敷設する緑化技術、又は断熱材を敷設する省エネ技術の実施対象となる家屋の屋上の形態も常に平坦なものとは限らず、折板屋根等のように非平坦な場所も選ばれ、更に緑化技術についてはその実施場所として家屋の屋上に限らず、家屋の壁または塀や垣根の壁面のような非平坦な場所も選ばれるようになっている。
【０００８】
このような状況下において、従来実施されている技術として、折板屋根の上に緑化システムや断熱材を取り付ける一例を挙げれば、従来は金属製のアングル部材を介して基盤となる木毛セメント板やＡＬＣ板などをとりつけ、その上に目的とする緑化システム又は断熱材を配置する手法が一般的である。
【０００９】
【発明が解決しようとする課題】
しかしながら、前記した従来の一般手法であるアングル部材を介して基盤を保持する手法では、施工の手間も材料費も高くなり、緑化システムや断熱材を取り付け省エネを図る意味あいがなくなってしまい、工務店等からの提案も施主から不採用にされる場合が多かった。
【００１０】
また、前記木毛セメント板等の基盤は、それ自体防水する必要性もあることから、防水層を重ねて設置することになるが、特に折板屋根同志、又は基盤への取り付け部位で、止めボルト等により防水層を破らないように、同止めボルトの周辺部位にコーキング材を配したり、接着剤を施したりして相応の手当てをしているものの、この程度の手当てでは必ずしも十分の効果を得られなく、ひいてはシステム全体への信頼を損なうこととなる場合もあった。
【００１１】
本発明は、このような従来の状況に鑑みてなされたもので、基本的に従来の止めるボルトを採用して折板屋根等の非平坦状の表面に基盤を堅牢に取り付け、同基盤上に防水層等が敷設されてもこれを破損するおそれはなく、その結果漏水が起こることもなく、基盤として木毛セメント板を採用しても同木毛セメント板が常時湿潤することがないので同基盤からアクが出て折板屋根を汚損することもなく、堅牢にして信頼性に富み、周辺の清潔度を高く維持した状態で使用に供することの出来る緑化システム、又は断熱システム等の取り付け等を実現する盤状体の固定装置を提供することを課題とするものである。
【００１２】
【課題を解決するための手段】
本発明は前記した課題を解決すべくなされたもので、その第１の手段として、折板屋根又は壁面等の基体の非平坦状の表面に固着部材を介して表面が平坦状の基盤を取り付ける装置において、前記固着部材は、フランジ部と筒状突出部を有するハット型金物で形成され、前記筒状突出部を前記基盤に埋め込むと共にこの埋め込み部の周縁を前記フランジ部で押さえて配設し、前記筒状突出部で区画される空間内に前記基体用の固定ボルトを収納した盤状体の固定装置を提供するものである。
【００１３】
すなわち、基体となる折板屋根又は壁面等の表面が非平坦状のときに、ここに平坦面を形成するめに基盤等を取り付けることになるが、前記本発明の第１の手段によれば、前記基体に基盤を取り付ける固着部材として、フランジ部と筒状突出部を有するハット型金物を採用し、同フランジ部を基盤の押さえとし、筒状突出部を同基盤に埋め込み、かつ同筒状突出部で区画される空間内に基体同志又は基体と他の部材とを締結する固定ボルトを収納しているので、平坦状に形成された基盤の表面には突出物のない平坦面を維持してこの基盤を基体に取り付けることができ、同基盤上に例えば防水層等を敷設するに際して、突出部で同防水層等を破損して漏水に至る心配もなく、同漏水により周辺を汚損することもなく、安全、確実に基盤を取り付けるようにしたものである。
【００１４】
また、本発明は第２の手段として、前記第１の手段において、前記固定ボルトは、前記ハット型金物の筒状突出部から延長部を継ぎ足して前記基盤を貫通するボルト部を立ち上げ、基盤上に断熱材又は緑化マット等を固定可能にした盤状体の固定装置を提供するものである。
【００１５】
すなわち、同第２の手段によれば、前記第１の手段においてハット型金物の空間内に収納した基体用の固定ボルトは、これに例えば長ナット等の延長部を継ぎ足すことによりボルト部を基盤を貫通して立ち上げているので、同立ち上げ部位により基盤の上に断熱材又は緑化マット等の盤状体を取り付けることができ、コンパクト化された装備で複数の積層を一体化するようにしたものである。
【００１６】
そしてまた、本発明は第３の手段として、前記第１又は第２の手段において、前記ハット型金物は、前記筒状突出部内の空隙部に、ゴムパッキン又はコーキング材等のシール部材を充填した盤状体の固定装置を提供するものである。
【００１７】
すなわち、同第３の手段によれば、前記第１又は第２の手段において基体に対して基盤の取り付けを的確に行うのに寄与したハット型金物には、筒状突出部で区画される空間内に固定ボルトを収納したり、又は長ナット等よりなる延長部を継ぎ足しているとは言うものの、未だ空隙部が残存しているので、この空隙部にゴムパッキン又はコーキング材等のシール部材を充填して当該空隙部をなくすことにより、ハット型金物設置部位における平坦度、及び密封度が高くなり、より一層安定的、かつ正確に基盤を取り付けるようにしたものである。
【００１８】
【発明の実施の形態】
本発明の実施の第１形態について図１に基づいて説明する。
図１は本実施の形態に係る盤状体の固定装置の全貌を示す縦断面図である。
【００１９】
すなわち、本実施の形態において、１は家屋の梁で、この梁１の上には断面形状を山型（幅方向に連続していることから波型とも言える）としたタイトフレーム２が固定され、同タイトフレーム２にはその形状なりに変化する金属板が被せられ、金属製折板屋根３が形成されている。
【００２０】
ここで金属製折板屋根３に着目すれば、通常はタイトフレーム２の頂上部分において、同タイトフレーム２の長手方向複数箇所に剣先ボルト４を配設し、同剣先ボルト４によりタイトフレーム２と金属製折板屋根３を一体的に固定しているが、本実施の形態においては、後述するように剣先ボルト４はこれだけに限らずハット型金物８を含めて固定するようになっている。
【００２１】
５はパッキン付座金で、同パッキン付座金５は剣先ボルト４の設置位置に対応して金属製折板屋根３の上に配置され、その上に木毛セメント板で形成された基盤１０が載置される。
【００２２】
基盤１０には、前記剣先ボルト４の設置位置に対応して筒状の穴１０ａが設けられ、穴１０ａにはハット型金物８が配設される。
【００２３】
ここでハット型金物８は、フランジ部８ａと、同フランジ部８ａに一方の端縁を連絡してこの端部側を開放し、他方の端部側に蓋をした筒状突出部８ｂで構成され、いわゆるシルクハットの形状をしているのでハット型金物と命名したものである。
【００２４】
しかしこのハット型金物８は、人がシルクハットを着用するときのように上に凸の形態として用いるものではなく、筒状突出部８ｂを下に向けて前記基盤１０の筒状の穴１０ａに埋め込み、かつ、フランジ部８ａにより穴１０ａの周縁部で基盤１０の表面を押さえる配置とされている。
【００２５】
そして前記した剣先ボルト４は、前記したタイトフレーム２と金属製折板屋根３を通すだけでなく、パッキン付座金５を通し、更にハット型金物８の筒状突出部８ｂ内部に至り、座金６を介してナット７で締めつけることにより、フランジ部８ａで押さえた基盤１０と、タイトフレーム２及び金属製折板屋根３等のいわゆる基体とを一体的に固定している。
【００２６】
ここで剣先ボルト４の先端は、図の表示からも明瞭に理解できるように、ハット型金物８の筒状突出部８ｂで区画する空間内で終わり、同空間内に完全に納まった位置構成となり、更にこの空間内には、同剣先ボルト４の先端及び座金６ナット７等の占める容積を除いた空隙部にコーキング材９（ゴムパッキン等を用いてもよい）が充填されている。
【００２７】
１１は防水層で、前記基盤１０の上に配置され、１２は排水マットで、前記防水層１１の上に配置され、そして１３は複数の盤状体を集合して形成された植生マットで、前記排水マット１２の上に敷設され、この植生マット１３に緑化植物が植生されることになる。
【００２８】
前記のように構成された本実施の形態において、ハット型金物８の形状及び配置、そして同ハット型金物８に対する剣先ボルト４の配列から理解できるように、基体を構成するタイトフレーム２及び金属製折板屋根３と、同基体上に載置される基盤１０とは、三位一体となって、確実に、かつ、堅牢に固定されることになる。
【００２９】
しかもここで剣先ボルト４の先端は、ハット型金物８の筒状突出部８ｂより上方に出ることなく、同筒状突出部８ｂの空間部内に納まっているので、基盤１０の表面の平坦性を乱すような突出部は皆無である。
【００３０】
また、このハット型金物８の筒状突出部８ｂ内には、コーキング材９が充填されているので、前記基盤１０の表面の平坦性はより一層正確に維持されており、この基盤１０の表面に配置された防水層１１は下方から突き破られるおそれは皆無となり、長期間に亘って所期の防水機能を維持し、植生マット１３の下層として有効に機能することになる。
【００３１】
また、このように防水機能が安定して維持されると、同防水層１１の下部で金属製折板屋根３の非平坦性を補って上層に平坦性の表面を形成し、かつ維持するように配置された基盤１０を木毛セメントのような素材で構成しても、同木毛セメントに対する湿潤をカットし、木毛セメント特有のアク出し等の不具合もなく、清潔度を高く維持してこれらの素材を有効活用することができる。
【００３２】
以上要するに本実施の形態によれば、金属製折板屋根３のような非平坦な場所であっても、ここに容易に平坦性を持たせることができ、しかも金属製折板屋根３を形成する際に本来的に必要とされる固定ボルトである剣先ボルト４をそっくりそのまま活用して、平坦性に優れた基盤１０を確実に構成し、植生マット１３等の盤状体を安定して設置することができ、好適な緑化システムを容易に実現することが出来たものである。
【００３３】
次に本発明の実施の第２形態について図２及び図３に基づいて説明する。
図２は本実施の形態に係る盤状体の固定装置の全貌を示す縦断面図、図３は要部に当たる長ナットの拡大図で、（ａ）は部分正面図、（ｂ）は平面図である。
【００３４】
なお、説明が冗長とならないように、前記した実施の第１形態と同一の部位については、図中同一の符号を付して示し、前記した実施の第１形態に関する説明を全面的に援用することにより重複する説明は極力省略して本実施の形態に特有の事項を重点的に説明する。
【００３５】
すなわち、本実施の形態は、前記した実施の第１形態において、ハット型金物８の筒状突出部８ｂ内で収納した剣先ボルト４の先端に長ナット２０を螺着し、防水層１１を挟んでワッシャー２１で接合部を密封した上ナット２２で固く締めつけ、更に排水マット１２、植生マット１３を越える位置までボルト２３を立ち上げ、ワッシャー２４を介してナット２５で締めつけることにより、金属製折板屋根３等の基体から、基盤１０、防水層１１、排水マット１２を経て盤状体の植生マット１３に及ぶ固定化を図ったものである。
【００３６】
すなわち本実施の形態によれば、金属製折板屋根３の固定に本来的に用いる複数の剣先ボルト４のうち任意のものを有効活用し、これに長ナット２０を組み合わせるという簡便な応用で、緑化システムの基本である植生マット１３まで容易に一体化し、システムの簡潔化を大いに促進することが出来たものである。
【００３７】
なお、本実施の形態においては、具体的に長ナット２０を用いた例を示したが、これに限られるものではなく、同様の機能を奏する適宜の固着具を採用出来ることは勿論である。
【００３８】
以上、本発明を図示の実施の形態について説明したが、本発明はかかる実施の形態に限定されず、本発明の範囲内でその具体的構造に種々の変更を加えてよいことはいうまでもない。
【００３９】
たとえば、前記実施の形態としては、基盤１０の上面に最終的に植生マット１３を取り付けることを例として説明したが、同基盤１０に取り付ける部材としては断熱材を選択し、断熱システムに適用することも当然本発明の範囲に属するものである。
【００４０】
また、前記の各部材を取り付ける基本となる基体として、金属製折板屋根３を具体例として説明したが、同基体は勿論これに限定されるものではなく、しかも家屋の屋根に止まらず、家屋の壁、その他塀や垣根等を基体としたものも本発明の範囲に含まれることも勿論である。
【００４１】
【発明の効果】
以上、本出願の請求項１に記載の発明によれば、折板屋根又は壁面等の基体の非平坦状の表面に固着部材を介して表面が平坦状の基盤を取り付ける装置において、前記固着部材は、フランジ部と筒状突出部を有するハット型金物で形成され、前記筒状突出部を前記基盤に埋め込むと共にこの埋め込み部の周縁を前記フランジ部で押さえて配設し、前記筒状突出部で区画される空間内に前記基体用の固定ボルトを収納して盤状体の固定装置を構成しているので、前記したように基体に基盤を取り付ける固着部材として、フランジ部と筒状突出部を有するハット型金物を採用し、同フランジ部を基盤の押さえとし、筒状突出部を同基盤に埋め込み、かつ同筒状突出部で区画される空間内に基体同志又は基体と他の部材とを締結する固定ボルトを収納したことにより、平坦状に形成された基盤の表面には突出物のない平坦面を維持して基盤を基体に取り付けることができ、同基盤上に例えば防水層等を敷設するに際して、突出部で同防水層等を破損して漏水に至る心配もなく、同漏水により周辺を汚損することもなく、安全、確実に基盤を取り付けるようにした、簡便にして有効な盤状体の固定装置を得ることが出来たものである。
【００４２】
また、請求項２に記載の発明によれば、前記請求項１に記載の発明において、前記固定ボルトは、前記ハット型金物の筒状突出部から延長部を継ぎ足して前記基盤を貫通するボルト部を立ち上げ、基盤上に断熱材又は緑化マット等を固定可能にして盤状体の固定装置を構成しているので、前記したハット型金物の空間内に収納した基体用の固定ボルトとして、例えば長ナット等の延長部を継ぎ足すことによりボルト部を基盤を貫通して立ち上げた簡便な構成により、同立ち上げ部位を用いて基盤の上に緑化システム等を取り付けることができ、コンパクト化された装備で複数の積層を一体化し、簡便にして有効な盤状体の固定装置を得ることが出来たものである。
【００４３】
そしてまた、請求項３に記載の発明によれば、前記請求項１又は２に記載の発明において、前記ハット型金物は、前記筒状突出部内の空隙部に、ゴムパッキン又はコーキング材等のシール部材を充填して盤状体の固定装置を構成しているので、前記したハット型金物の筒状突出部で区画される空間内で、固定ボルトを収納したり又は長ナット等よりなる延長部を継ぎ足しても未だ残存する空隙部に、ゴムパッキン又はコーキング材等のシール部材を充填して当該空隙部をなくすことにより、ハット型金物設置部位における平坦度、及び密封度が高くなり、より一層安定的、かつ正確に基盤を取り付けるようにし、簡便にして有効な盤状体の固定装置を得ることが出来たものである。
【図面の簡単な説明】
【図１】本発明の実施の第１形態に係る盤状体の固定装置の全貌を示す縦断面図である。
【図２】本発明の実施の第２形態に係る盤状体の固定装置の全貌を示す縦断面図である。
【図３】図２の要部に当たる長ナットの拡大図で、（ａ）は部分正面図、（ｂ）は平面図である。
【符号の説明】
１　　　　梁
２　　　　タイトフレーム
３　　　　金属製折板屋根
４　　　　剣先ボルト
５　　　　パッキン付座金
６　　　　座金
７　　　　ナット
８　　　　ハット型金物
８ａ　　　フランジ部
８ｂ　　　筒状突出部
９　　　　コーキング材
１０　　　　基盤
１０ａ　　　穴
１１　　　　防水層
１２　　　　排水マット
１３　　　　植生マット
２０　　　　長ナット
２１　　　　ワッシャー
２２　　　　ナット
２３　　　　ボルト
２４　　　　ワッシャー
２５　　　　ナット
【図１】
2004076516.tif 000003
【図２】
2004076516.tif 000004
【図３】
2004076516.tif 000005